(57)【要約】【課題】無線アクセスネットワーク及びコアネットワークのリソースの浪費を防ぐ。【解決手段】本発明に係る移動通信方法は、移動局ＵＥが、Ｗ-ＣＤＭＡ方式の無線アクセスネットワークに在圏していると判定された場合で、かつ、所定期間、コアネットワークベアラを介して通信が行われていないと判定された場合、コアネットワークベアラを切断する工程Ａと、移動局ＵＥが、ＬＴＥ方式の無線アクセスネットワークに在圏していると判定された場合で、かつ、所定期間、コアネットワークベアラを介して通信が行われていないと判定された場合には、コアネットワークベアラを切断しない工程Ｂとを有する。【選択図】図４
2010183542.tif 000002
【特許請求の範囲】
【請求項１】
移動局が、無線アクセスネットワーク内のベアラである第１ベアラとコアネットワーク内のベアラである第２ベアラとを介して、所定ネットワークとの間で通信を行う移動通信方法であって、
前記移動局が、第１無線アクセスネットワークに在圏していると判定された場合で、かつ、所定期間、前記第２ベアラを介して通信が行われていないと判定された場合、該第２ベアラを切断する工程Ａと、
前記移動局が、第２無線アクセスネットワークに在圏していると判定された場合で、かつ、前記所定期間、前記第２ベアラを介して通信が行われていないと判定された場合には、該第２ベアラを切断しない工程Ｂとを有することを特徴とする移動通信方法。
【請求項２】
移動局が、無線アクセスネットワーク内のベアラである第１ベアラとコアネットワーク内のベアラである第２ベアラとを介して、所定ネットワークとの間で通信を行う移動通信方法であって、
前記移動局が、第１無線アクセスネットワークに在圏していると判定された場合で、かつ、所定期間、前記第２ベアラを介して通信が行われていないと判定された場合に、或いは、前記移動局に対して、複数の第２ベアラが、第２無線アクセスネットワーク内に設定されていると判定された場合で、かつ、所定期間、前記第２ベアラを介して通信が行われていないと判定された場合に、該第２ベアラを切断する工程Ａと、
前記移動局に対して、１つの第２ベアラのみが、前記第２無線アクセスネットワーク内に設定されていると判定された場合で、かつ、前記所定期間、該第２ベアラを介して通信が行われていないと判定された場合には、該第２ベアラを切断しない工程Ｂとを有することを特徴とする移動通信方法。
【請求項３】
前記第２ベアラは、第１ゲートウェイ装置と第２ゲートウェイ装置との間で設定されており、
前記工程Ａにおいて、前記所定期間、前記第２ベアラを介して通信が行われていないと判定された場合、前記第２ゲートウェイ装置が、前記第１ゲートウェイ装置に対して、ベアラ切断要求を送信することを特徴とする請求項１又は２に記載の移動通信方法。
【請求項４】
前記第２ゲートウェイ装置が、前記第１ゲートウェイ装置から受信したベアラ設定要求又はベアラ変更要求に応じて、前記移動局が在圏している無線アクセスネットワークの種別を判定する工程を更に有することを特徴とする請求項３に記載の移動通信方法。
【請求項５】
前記第２ゲートウェイ装置が、所定サーバ装置から受信した所定情報に応じて、前記移動局が在圏している無線アクセスネットワークの種別を判定する工程を更に有することを特徴とする請求項３に記載の移動通信方法。
【請求項６】
移動局が、無線アクセスネットワーク内のベアラである第１ベアラとコアネットワーク内のベアラである第２ベアラとを介して、所定ネットワークとの間で通信を行うように構成されている移動通信システムに含まれる第２ゲートウェイ装置として機能するゲートウェイ装置であって、
前記移動局が、第１無線アクセスネットワークに在圏していると判定された場合で、かつ、所定期間、前記第１ゲートウェイ装置と前記第２ゲートウェイ装置との間で設定されている前記第２ベアラを介して通信が行われていないと判定された場合、該第１ゲートウェイ装置に対して、該第２ベアラを切断するためのベアラ切断要求を送信するように構成されている送信部を具備し、
前記移動局が、第２無線アクセスネットワークに在圏していると判定された場合で、かつ、前記所定期間、前記第２ベアラを介して通信が行われていないと判定された場合には、前記送信部は、前記第１ゲートウェイ装置に対して、前記ベアラ切断要求を送信しないように構成されていることを特徴とするゲートウェイ装置。
【請求項７】
移動局が、無線アクセスネットワーク内のベアラである第１ベアラとコアネットワーク内のベアラである第２ベアラとを介して、所定ネットワークとの間で通信を行うように構成されている移動通信システムに含まれる第２ゲートウェイ装置として機能するゲートウェイ装置であって、
前記移動局が、第１無線アクセスネットワークに在圏していると判定された場合で、かつ、所定期間、前記第１ゲートウェイ装置と前記第２ゲートウェイ装置との間で設定されている前記第２ベアラを介して通信が行われていないと判定された場合に、或いは、該移動局に対して、複数の第２ベアラが、第２無線アクセスネットワーク内に設定されていると判定された場合で、かつ、該所定期間、該第２ベアラを介して通信が行われていないと判定された場合に、該第１ゲートウェイ装置に対して、該第２ベアラを切断するためのベアラ切断要求を送信するように構成されている送信部を具備し、
前記移動局に対して、１つの第２ベアラのみが、前記第２無線アクセスネットワーク内に設定されていると判定された場合で、かつ、前記所定期間、前記第２ベアラを介して通信が行われていないと判定された場合には、前記送信部は、前記ベアラ切断要求を送信しないように構成されていることを特徴とするゲートウェイ装置。
【請求項８】
前記第１ゲートウェイ装置から受信したベアラ設定要求又はベアラ変更要求に応じて、前記移動局が在圏している無線アクセスネットワークの種別を判定するように構成されている判定部を更に具備することを特徴とする請求項６又は７に記載のゲートウェイ装置。
【請求項９】
所定サーバ装置から受信した所定情報に応じて、前記移動局が在圏している無線アクセスネットワークの種別を判定するように構成されている判定部を更に具備することを特徴とする請求項６又は７に記載のゲートウェイ装置。
【請求項１０】
移動局が、無線アクセスネットワーク内のベアラである第１ベアラとコアネットワーク内のベアラである第２ベアラとを介して、所定ネットワークとの間で通信を行うように構成されている移動通信システムに含まれる所定サーバ装置として機能するサーバ装置であって、
第１ゲートウェイ装置から受信したベアラ設定要求又はベアラ変更要求に応じて、前記移動局が在圏している無線アクセスネットワークの種別を判定するように構成されている判定部と、
前記移動局が、第１無線アクセスネットワークに在圏していると判定された場合には、第２ゲートウェイ装置に対して、所定期間、前記第１ゲートウェイ装置と該第２ゲートウェイ装置との間で設定されている前記第２ベアラを介して通信が行われていない場合に、該第２ベアラを切断するように指示する指示部とを具備し、
前記指示部は、前記移動局が、第２無線アクセスネットワークに在圏していると判定された場合には、前記第２ゲートウェイ装置に対して、前記所定期間、前記第２ベアラを介して通信が行われていない場合に、該第２ベアラを切断するように指示しないことを特徴とするサーバ装置。
【請求項１１】
移動局が、無線アクセスネットワーク内のベアラである第１ベアラとコアネットワーク内のベアラである第２ベアラとを介して、所定ネットワークとの間で通信を行うように構成されている移動通信システムに含まれる所定サーバ装置として機能するサーバ装置であって、
第１ゲートウェイ装置から受信したベアラ設定要求又はベアラ変更要求に応じて、前記移動局が在圏している無線アクセスネットワークの種別を判定するように構成されている判定部と、
前記移動局が、第１無線アクセスネットワークに在圏していると判定された場合、或いは、該移動局に対して、複数の第２ベアラが、第２無線アクセスネットワーク内に設定されていると判定された場合には、第２ゲートウェイ装置に対して、所定期間、前記第１ゲートウェイ装置と該第２ゲートウェイ装置との間で設定されている前記第２ベアラを介して通信が行われていない場合に、該第２ベアラを切断するように指示する指示部とを具備し、
前記指示部は、前記移動局に対して、１つの第２ベアラのみが、前記第２無線アクセスネットワーク内に設定されていると判定された場合には、前記第２ゲートウェイ装置に対して、前記所定期間、前記第２ベアラを介して通信が行われていない場合に、該第２ベアラを切断するように指示しないことを特徴とするサーバ装置。
【発明の詳細な説明】
【技術分野】
【０００１】
本発明は、移動通信方法、ゲートウェイ装置及びサーバ装置に関する。
【背景技術】
【０００２】
３ＧＰＰで規定されている移動通信システムでは、一定期間、移動局ＵＥによって通信が行われていない場合に、無線リソースの有効活用及び再接続時の遅延短縮の観点から、無線アクセスネットワーク内のベアラ（以下、無線アクセスネットワークベアラ）を開放する手順が規定されている。
【０００３】
ここで、かかる手順を「Ｐｒｅｓｅｒｖａｔｉｏｎ制御手順」と呼び、Ｐｒｅｓｅｒｖａｔｉｏｎ制御手順によって無線アクセスネットワークベアラが開放された移動局ＵＥの状態を「Ｐｒｅｓｅｒｖａｔｉｏｎ状態」と呼ぶ。
【０００４】
また、かかる移動通信システムでは、Ｐｒｅｓｅｒｖａｔｉｏｎ制御手順によって、移動局ＵＥの状態が、Ｐｒｅｓｅｒｖａｔｉｏｎ状態に遷移した後、一定期間、移動局ＵＥによって通信を行われなかった場合、コアネットワークのリソースの有効活用の観点から、コアネットワーク内のベアラ（以下、コアネットワークベアラ）を開放するように構成されている。ここで、かかる手順を「Ｐｒｅｓｅｒｖａｔｉｏｎ状態開放手順」と呼ぶ。
【０００５】
また、上述の移動通信システムでは、移動局ＵＥは、ＬＴＥ（Ｌｏｎｇ  Ｔｅｒｍ  Ｅｖｏｌｕｔｉｏｎ）方式の無線アクセスネットワークにおいて、アタッチ状態を維持するためには、少なくとも１本以上のコアネットワークベアラを保持する必要がある。
【０００６】
一方、上述の移動通信システムでは、移動局ＵＥは、Ｗ-ＣＤＭＡ方式の無線アクセスネットワークにおいて、アタッチ状態を維持するために、コアネットワークベアラを保持する必要がない。
【先行技術文献】
【非特許文献】
【０００７】
【非特許文献１】３ＧＰＰ  ＴＳ２３.４０１
【発明の概要】
【発明が解決しようとする課題】
【０００８】
しかしながら、上述の移動通信システムにおいて、無線アクセスネットワークの種別に関係なく、Ｐｒｅｓｅｒｖａｔｉｏｎ状態開放手順を行うと、以下のような問題点が発生する。
【０００９】
例えば、Ｗ-ＣＤＭＡ方式の無線アクセスネットワークにおいて、Ｐｒｅｓｅｒｖａｔｉｏｎ制御手順によって、移動局ＵＥの状態が、Ｐｒｅｓｅｒｖａｔｉｏｎ状態に遷移した後、一定期間、移動局ＵＥによって通信が行われなかった場合、Ｐｒｅｓｅｒｖａｔｉｏｎ状態開放手順により、コアネットワークベアラが開放され、移動局ＵＥの状態が、アタッチ状態に遷移する。
【００１０】
一方、ＬＴＥ方式の無線アクセスネットワークにおいて、Ｐｒｅｓｅｒｖａｔｉｏｎ制御手順によって、移動局ＵＥの状態が、Ｐｒｅｓｅｒｖａｔｉｏｎ状態に遷移した後、一定期間、移動局ＵＥによって通信が行われなかった場合、Ｐｒｅｓｅｒｖａｔｉｏｎ状態開放手順により、コアネットワークベアラが開放される。ここで、全てのコアネットワークベアラが開放されると、移動局ＵＥの状態が、デタッチ状態に遷移する。
【００１１】
ここで、ＬＴＥ方式の無線アクセスネットワークでは、上述のように、移動局ＵＥの状態が、デタッチ状態に遷移した後、移動局ＵＥが、再度、ＬＴＥ方式の無線アクセスネットワークに対してアタッチ処理を行う可能性がある。
【００１２】
かかる場合、再度、Ｐｒｅｓｅｒｖａｔｉｏｎ制御手順によって、移動局ＵＥの状態が、Ｐｒｅｓｅｒｖａｔｉｏｎ状態に遷移した後、一定期間、移動局ＵＥによって通信が行われなかった場合、Ｐｒｅｓｅｒｖａｔｉｏｎ状態開放手順により、コアネットワークベアラが開放され、移動局ＵＥの状態が、デタッチ状態に遷移してしまう可能性がある。
【００１３】
その結果、移動局ＵＥの状態が、アタッチ状態とデタッチ状態とを交互に繰り返してしまい、無線アクセスネットワーク及びコアネットワークのリソースを浪費してしまう。
【００１４】
そこで、本発明は、上述の課題に鑑みてなされたものであり、無線アクセスネットワークの種別に応じて、Ｐｒｅｓｅｒｖａｔｉｏｎ状態開放手順を行うか否かについて決定することによって、無線アクセスネットワーク及びコアネットワークのリソースの浪費を防ぐことができる移動通信方法、ゲートウェイ装置及びサーバ装置を提供することを目的とする。
【課題を解決するための手段】
【００１５】
本発明の第１の特徴は、移動局が、無線アクセスネットワーク内のベアラである第１ベアラとコアネットワーク内のベアラである第２ベアラとを介して、所定ネットワークとの間で通信を行う移動通信方法であって、前記移動局が、第１無線アクセスネットワーク内に在圏していると判定された場合で、かつ、所定期間、前記第２ベアラを介して通信が行われていないと判定された場合に、該第２ベアラを切断する工程Ａと、前記移動局が、第２無線アクセスネットワーク内に在圏していると判定された場合で、かつ、前記所定期間、前記第２ベアラを介して通信が行われていないと判定された場合に、該第２ベアラを切断しない工程Ｂとを有することを要旨とする。
【００１６】
本発明の第２の特徴は、移動局が、無線アクセスネットワーク内のベアラである第１ベアラとコアネットワーク内のベアラである第２ベアラとを介して、所定ネットワークとの間で通信を行う移動通信方法であって、前記移動局が、第１無線アクセスネットワーク内に在圏していると判定された場合で、かつ、所定期間、前記第２ベアラを介して通信が行われていないと判定された場合に、或いは、前記移動局に対して、複数の第２ベアラが、第２無線アクセスネットワーク内に設定されていると判定された場合で、かつ、該所定期間、該第２ベアラを介して通信が行われていないと判定された場合に、該第２ベアラを切断する工程Ａと、前記移動局に対して、１つの前記第２ベアラのみが、前記第２無線アクセスネットワーク内に設定されていると判定された場合には、前記所定期間、該第２ベアラを介して通信が行われていないと判定された場合であっても、該第２ベアラを切断しない工程Ｂとを有することを要旨とする。
【００１７】
本発明の第３の特徴は、移動局が、無線アクセスネットワーク内のベアラである第１ベアラとコアネットワーク内のベアラである第２ベアラとを介して、所定ネットワークとの間で通信を行うように構成されている移動通信システムに含まれる第２ゲートウェイ装置として機能するゲートウェイ装置であって、前記移動局が、第１無線アクセスネットワーク内に在圏していると判定された場合で、かつ、所定期間、前記第２ベアラを介して通信が行われていないと判定された場合に、該第１ゲートウェイ装置に対して、該第２ベアラを切断するためのベアラ切断要求を送信するように構成されている送信部を具備し、前記移動局が、第２無線アクセスネットワーク内に在圏していると判定された場合で、かつ、前記所定期間、前記第２ベアラを介して通信が行われていないと判定された場合に、前記送信部は、前記第１ゲートウェイ装置に対して、前記ベアラ切断要求を送信しないように構成されていることを要旨とする。
【００１８】
本発明の第４の特徴は、移動局が、無線アクセスネットワーク内のベアラである第１ベアラとコアネットワーク内のベアラである第２ベアラとを介して、所定ネットワークとの間で通信を行うように構成されている移動通信システムに含まれる第２ゲートウェイ装置として機能するゲートウェイ装置であって、前記移動局が、第１無線アクセスネットワーク内に在圏していると判定された場合で、かつ、所定期間、前記第２ベアラを介して通信が行われていないと判定された場合に、或いは、前記移動局に対して、複数の第２ベアラが、第２無線アクセスネットワーク内に設定されていると判定された場合で、かつ、該所定期間、該第２ベアラを介して通信が行われていないと判定された場合に、該第１ゲートウェイ装置に対して、該第２ベアラを切断するためのベアラ切断要求を送信するように構成されている送信部を具備し、前記移動局に対して、１つの前記第２ベアラのみが、前記第２無線アクセスネットワーク内に設定されていると判定された場合には、前記所定期間、前記第２ベアラを介して通信が行われていないと判定された場合であっても、前記送信部は、前記ベアラ切断要求を送信しないように構成されていることを要旨とする。
【００１９】
本発明の第５の特徴は、移動局が、無線アクセスネットワーク内のベアラである第１ベアラとコアネットワーク内のベアラである第２ベアラとを介して、所定ネットワークとの間で通信を行うように構成されている移動通信システムに含まれる所定サーバ装置として機能するサーバ装置であって、第１ゲートウェイ装置から受信したベアラ設定要求又はベアラ変更要求に応じて、前記移動局が在圏している無線アクセスネットワークの種別を判定するように構成されている判定部と、前記移動局が、第１無線アクセスネットワーク内に在圏していると判定された場合には、第２ゲートウェイ装置に対して、所定期間、前記第１ゲートウェイ装置と該第２ゲートウェイ装置との間で設定されている前記第２ベアラを介して通信が行われていない場合に、該第２ベアラを切断するように指示する指示部とを具備し、前記指示部は、前記移動局が、第１無線アクセスネットワーク内に在圏していると判定された場合には、前記第２ゲートウェイ装置に対して、前記所定期間、前記第２ベアラを介して通信が行われていない場合に、該第２ベアラを切断するように指示しないことを要旨とする。
【００２０】
本発明の第６の特徴は、移動局が、無線アクセスネットワーク内のベアラである第１ベアラとコアネットワーク内のベアラである第２ベアラとを介して、所定ネットワークとの間で通信を行うように構成されている移動通信システムに含まれる所定サーバ装置として機能するサーバ装置であって、第１ゲートウェイ装置から受信したベアラ設定要求又はベアラ変更要求に応じて、前記移動局が在圏している無線アクセスネットワークの種別を判定するように構成されている判定部と、前記移動局が、第１無線アクセスネットワーク内に在圏していると判定された場合、或いは、前記移動局に対して、複数の第２ベアラが、第２無線アクセスネットワーク内に設定されていると判定された場合には、第２ゲートウェイ装置に対して、所定期間、前記第２ベアラを介して通信が行われていない場合に、該第２ベアラを切断するように指示する指示部とを具備し、前記指示部は、前記移動局に対して、１つの前記第２ベアラのみが、前記第２無線アクセスネットワーク内に設定されていると判定された場合には、前記第２ゲートウェイ装置に対して、前記所定期間、前記第２ベアラを介して通信が行われていない場合に、該第２ベアラを切断するように指示しないことを要旨とする。
【発明の効果】
【００２１】
以上説明したように、本発明によれば、無線アクセスネットワークの種別に応じて、Ｐｒｅｓｅｒｖａｔｉｏｎ状態開放手順を行うか否かについて決定することによって、無線アクセスネットワーク及びコアネットワークのリソースの浪費を防ぐことができる移動通信方法、ゲートウェイ装置及びサーバ装置を提供することができる。
【図面の簡単な説明】
【００２２】
【図１】本発明の第１の実施形態に係る移動通信システムの全体構成図である。
【図２】本発明の第１の実施形態に係るサーバ装置ＰＣＲＦの機能ブロック図である。
【図３】本発明の第１の実施形態に係るゲートウェイ装置Ｐ-ＧＷの機能ブロック図である。
【図４】本発明の第１の実施形態に係る移動通信システムの動作を説明するための図である。
【図５】本発明の第１の実施形態に係る移動通信システムの動作を説明するための図である。
【図６】本発明の変更例１に係るゲートウェイ装置Ｐ-ＧＷの機能ブロック図である。
【図７】本発明の変更例１に係る移動通信システムの動作を説明するための図である。
【図８】本発明の変更例１に係る移動通信システムの動作を説明するための図である。
【発明を実施するための形態】
【００２３】
（本発明の第１の実施形態に係る移動通信システムの構成）
図１乃至図３を参照して、本発明の第１の実施形態に係る移動通信システムの構成について説明する。
【００２４】
本実施形態に係る移動通信システムは、Ｗ-ＣＤＭＡ方式の無線アクセスネットワーク（第１無線アクセスネットワーク）と、ＬＴＥ方式の無線アクセスネットワーク（第２無線アクセスネットワーク）とを具備している。
【００２５】
ここで、移動局ＵＥは、ＬＴＥ方式の無線アクセスネットワークにおいて、アタッチ状態を維持するためには、少なくとも１本以上のコアネットワークベアラを保持する必要がある。
【００２６】
一方、移動局ＵＥは、Ｗ-ＣＤＭＡ方式の無線アクセスネットワークにおいて、アタッチ状態を維持するために、コアネットワークベアラを保持する必要がない。
【００２７】
具体的には、図１に示すように、本実施形態に係る移動通信システムは、Ｗ-ＣＤＭＡ方式の無線アクセスネットワークにおいて、無線基地局ＮｏｄｅＢと、無線回線制御局ＲＮＣと、交換局ＳＧＳＮとを具備し、ＬＴＥ方式の無線アクセスネットワークにおいて、無線基地局ｅＮＢと、交換局ＭＭＥとを具備している。
【００２８】
また、本実施形態に係る移動通信システムは、コアネットワークにおいて、第１ゲートウェイ装置Ｓ-ＧＷ（Ｓｅｒｖｉｎｇ-Ｇａｔｅｗａｙ）と、第２ゲートウェイ装置Ｐ-ＧＷ（ＰＤＮ-Ｇａｔｅｗａｙ）と、所定サーバ装置ＰＣＲＦ（Ｐｏｌｉｃｙ＆Ｃｈａｒｇｉｎｇ  Ｒｕｌｅｓ  Ｆｕｎｃｔｉｏｎ）とを具備している。
【００２９】
なお、本実施形態に係る移動通信システムでは、第２ゲートウェイ装置Ｐ-ＧＷが、ＡＰＮ（Ａｃｃｅｓｓ  Ｐｏｉｎｔ  Ｎａｍｅ）によって特定されるアクセスポイントを介して所定ネットワーク（例えば、外部ネットワーク）に接続されている。
【００３０】
また、本実施形態に係る移動通信システムでは、コアネットワークにおけるプロトコルとして「ＰＭＩＰ（Ｐｒｏｘｙ  Ｍｏｂｉｌｅ  ＩＰ）」が用いられるように構成されている。
【００３１】
また、本実施形態に係る移動通信システムでは、移動局ＵＥは、無線アクセスネットワークベアラ（第１ベアラ）とコアネットワークベアラ（第２ベアラ）とを介して、所定ネットワークとの間で通信を行うように構成されている。
【００３２】
ここで、無線アクセスネットワークベアラは、移動局ＵＥと第１ゲートウェイ装置Ｓ-ＧＷとの間で該移動局ＵＥに対して設定されているベアラであり、コアネットワークベアラは、第１ゲートウェイ装置Ｓ-ＧＷと第２ゲートウェイ装置Ｐ-ＧＷとの間で該移動局ＵＥに対して設定されているベアラである。
【００３３】
なお、本実施形態に係る移動通信システムでは、一定期間、無線アクセスネットワークベアラを介して通信が行われない場合には、無線アクセスネットワークベアラを切断する「Ｐｒｅｓｅｒｖａｔｉｏｎ制御手順」が適用されているものとする。
【００３４】
所定サーバ装置ＰＣＲＦは、ネットワークポリシーや課金規則等を管理するサーバ装置であり、図２に示すように、Ｓ-ＧＷインターフェイス１１と、判定部１２と、Ｐ-ＧＷインターフェイス１３とを具備している。
【００３５】
Ｓ-ＧＷインターフェイス１１は、第１ゲートウェイ装置Ｓ-ＧＷとの間のインターフェイスとして機能するように構成されている。
【００３６】
例えば、Ｓ-ＧＷインターフェイス１１は、第１ゲートウェイ装置Ｓ-ＧＷによって送信された「Ｄｉａｍｅｔｅｒ_ＣＣ  Ｒｅｑｕｅｓｔ」を受信するように構成されている。
【００３７】
判定部１２は、第１ゲートウェイ装置Ｓ-ＧＷから受信した「Ｄｉａｍｅｔｅｒ_ＣＣ  Ｒｅｑｕｅｓｔ」に含まれる「ＲＡＴタイプ」に応じて、移動局ＵＥが在圏している無線アクセスネットワークの種別を判定するように構成されている。
【００３８】
ここで、「Ｄｉａｍｅｔｅｒ_ＣＣ  Ｒｅｑｕｅｓｔ」は、コアネットワークベアラを設定するように要求するベアラ設定要求、或いは、コアネットワークベアラの構成の変更を要求するベアラ変更要求である。「Ｄｉａｍｅｔｅｒ_ＣＣ  Ｒｅｑｕｅｓｔ」は、上述の「ＲＡＴタイプ」に加えて、かかるコアネットワークベアラの接続先アクセスポイントを特定する「ＡＰＮ」を含む。
【００３９】
例えば、かかる「ＲＡＴタイプ」は、無線アクセスネットワークベアラが設定されている無線アクセスネットワークが、Ｗ-ＣＤＭＡ方式の無線アクセスネットワークであるか（又は、移動局が、Ｗ-ＣＤＭＡ方式の無線アクセスネットワークに在圏しているか）、或いは、ＬＴＥ方式の無線アクセスネットワークであるか（又は、移動局が、ＬＴＥ方式の無線アクセスネットワークに在圏しているか）について示す情報である。
【００４０】
Ｐ-ＧＷインターフェイス１３は、第２ゲートウェイ装置Ｐ-ＧＷとの間のインターフェイスとして機能するように構成されている。
【００４１】
例えば、Ｐ-ＧＷインターフェイス１３は、第２ゲートウェイ装置Ｐ-ＧＷによって送信された「Ｄｉａｍｅｔｅｒ_ＣＣ  Ｒｅｑｕｅｓｔ」を受信したり、第２ゲートウェイ装置Ｐ-ＧＷに対して「Ｄｉａｍｅｔｅｒ_ＣＣ  Ａｎｓｗｅｒ」や「Ｄｉａｍｅｔｅｒ_Ｒｅ-Ａｕｔｈ  Ｒｅｑｕｅｓｔ」を送信したりするように構成されている。
【００４２】
また、Ｐ-ＧＷインターフェイス１３は、移動局ＵＥが、Ｗ-ＣＤＭＡ方式の無線アクセスネットワーク内に在圏していると判定された場合には、第２ゲートウェイ装置Ｐ-ＧＷに対して、所定期間、コアネットワークベアラを介して通信が行われていない場合に、コアネットワークベアラを切断するように指示する。
【００４３】
かかる場合、Ｐ-ＧＷインターフェイス１３は、第２ゲートウェイ装置Ｐ-ＧＷに対して、「Ｐｒｅｓｅｒｖａｔｉｏｎ設定情報（所定情報）」を含む「Ｄｉａｍｅｔｅｒ_ＣＣ  Ａｎｓｗｅｒ」や「Ｄｉａｍｅｔｅｒ_Ｒｅ-Ａｕｔｈ  Ｒｅｑｕｅｓｔ」を送信するように構成されている。
【００４４】
一方、Ｐ-ＧＷインターフェイス１３は、移動局ＵＥが、ＬＴＥ方式の無線アクセスネットワーク内に在圏していると判定された場合には、第２ゲートウェイ装置Ｐ-ＧＷに対して、所定期間、第コアネットワークベアラを介して通信が行われていない場合に、コアネットワークベアラを切断するように指示しない。
【００４５】
かかる場合、Ｐ-ＧＷインターフェイス１３は、第２ゲートウェイ装置Ｐ-ＧＷに対して、「常時接続対象呼フラグ（所定情報）」を含む「Ｄｉａｍｅｔｅｒ_ＣＣ  Ａｎｓｗｅｒ」や「Ｄｉａｍｅｔｅｒ_Ｒｅ-Ａｕｔｈ  Ｒｅｑｕｅｓｔ」を送信するように構成されている。
【００４６】
なお、かかる場合、Ｐ-ＧＷインターフェイス１３は、第２ゲートウェイ装置Ｐ-ＧＷに対して、「タイマ値（＝「０」又は「∞」）」を含む「Ｄｉａｍｅｔｅｒ_ＣＣ  Ａｎｓｗｅｒ」や「Ｄｉａｍｅｔｅｒ_Ｒｅ-Ａｕｔｈ  Ｒｅｑｕｅｓｔ」を送信するように構成されていてもよい。
【００４７】
上述の例では、本実施形態に係る移動通信システムにおいて、移動局ＵＥに対して１つのコアネットワークベアラの設定しか許容されていないケースについて言及したが、本実施形態に係る移動通信システムにおいて、移動局ＵＥに対して複数のコアネットワークベアラの設定が許容されていてもよい。
【００４８】
かかるケースでは、Ｐ-ＧＷインターフェイス１３は、移動局ＵＥが、Ｗ-ＣＤＭＡ方式の無線アクセスネットワーク内に在圏していると判定された場合だけでなく、移動局ＵＥに対して、複数のコアネットワークベアラが、ＬＴＥ方式の無線アクセスネットワーク内に設定されていると判定された場合にも、第２ゲートウェイ装置Ｐ-ＧＷに対して、所定期間、コアネットワークベアラを介して通信が行われていない場合に、コアネットワークベアラを切断するように指示する。
【００４９】
一方、Ｐ-ＧＷインターフェイス１３は、移動局ＵＥに対して、１本のコアネットワークベアラのみが、ＬＴＥ方式の無線アクセスネットワーク内に設定されていると判定された場合には、第２ゲートウェイ装置Ｐ-ＧＷに対して、所定期間、コアネットワークベアラを介して通信が行われていない場合に、コアネットワークベアラを切断するように指示しない。
【００５０】
かかるケースでは、所定サーバ装置ＰＣＲＦにおいて、各移動局ＵＥに対して設定されているコアネットワークベアラについて管理されているものとする。
【００５１】
図３に示すように、第２ゲートウェイ装置Ｐ-ＧＷは、ＰＣＲＦインターフェイス２１と、ベアラ管理部２２と、監視部２３と、Ｓ-ＧＷインターフェイス２４とを具備している。
【００５２】
ＰＣＲＦインターフェイス２１は、所定サーバ装置ＰＣＲＦとの間のインターフェイスとして機能するように構成されている。
【００５３】
例えば、ＰＣＲＦインターフェイス２１は、所定サーバ装置ＰＣＲＦによって送信された「Ｄｉａｍｅｔｅｒ_ＣＣ  Ａｎｓｗｅｒ」や「Ｄｉａｍｅｔｅｒ_Ｒｅ-Ａｕｔｈ  Ｒｅｑｕｅｓｔ」を受信したり、所定サーバ装置ＰＣＲＦに対して「Ｄｉａｍｅｔｅｒ_ＣＣ  Ｒｅｑｕｅｓｔ」を送信したりするように構成されている。
【００５４】
ベアラ管理部２２は、各移動局ＵＥに対して設定されているコアネットワークベアラについて管理するように構成されている。
【００５５】
監視部２３は、コアネットワークベアラを介して行われる移動局ＵＥの通信状況について監視するように構成されている。
【００５６】
具体的には、監視部２３は、移動局ＵＥが、Ｗ-ＣＤＭＡ方式の無線アクセスネットワーク内に在圏していると判定された場合、或いは、移動局ＵＥに対して、複数のベアラが、ＬＴＥ方式の無線アクセスネットワーク内に設定されていると判定された場合のみ、かかる移動局ＵＥの通信状況について監視するように構成されていてもよい。
【００５７】
例えば、監視部２３は、ＰＣＲＦインターフェイス２１によって、「Ｐｒｅｓｅｒｖａｔｉｏｎ設定情報（所定情報）」を含む「Ｄｉａｍｅｔｅｒ_ＣＣ  Ａｎｓｗｅｒ」や「Ｄｉａｍｅｔｅｒ_Ｒｅ-Ａｕｔｈ  Ｒｅｑｕｅｓｔ」が受信された場合にのみ、かかる移動局ＵＥの通信状況について監視し、ＰＣＲＦインターフェイス２１によって、「常時接続対象呼フラグ（所定情報）」又は「タイマ値（＝「０」又は「∞」）」を含む「Ｄｉａｍｅｔｅｒ_ＣＣ  Ａｎｓｗｅｒ」や「Ｄｉａｍｅｔｅｒ_Ｒｅ-Ａｕｔｈ  Ｒｅｑｕｅｓｔ」が受信された場合には、かかる移動局ＵＥの通信状況について監視しないように構成されていてもよい。
【００５８】
ここで、監視部２３は、所定期間、移動局ＵＥによってコアネットワークベアラを介して通信が行われていないことを検知した場合に、その旨を、Ｓ-ＧＷインターフェイス２４に通知するように構成されている。
【００５９】
Ｓ-ＧＷインターフェイス２４は、第１ゲートウェイ装置Ｓ-ＧＷとの間のインターフェイスとして機能するように構成されている。
【００６０】
例えば、Ｓ-ＧＷインターフェイス２４は、第１ゲートウェイ装置Ｓ-ＧＷによって送信された「ＰＭＩＰ_ＰＢＵ（Ｐｒｏｘｙ  Ｂｉｎｄｉｎｇ  Ｕｐｄａｔｅ）」を受信したり、第１ゲートウェイ装置Ｓ-ＧＷに対して「ＰＭＩＰ_ＢＲＩ（Ｂｉｎｄｉｎｇ  Ｒｅｖｏｃａｔｉｏｎ  Ｉｎｄｉｃａｔｉｏｎ）」を送信したりするように構成されている。
【００６１】
ここで、「ＰＭＩＰ_ＰＢＵ」は、コアネットワークベアラを設定するように要求するベアラ設定要求であり、「ＰＭＩＰ_ＢＲＩ」は、コアネットワークベアラを切断するように要求するベアラ切断要求である。
【００６２】
具体的には、Ｓ-ＧＷインターフェイス２４は、上述の監視部２３からの通知に応じて、第１ゲートウェイ装置Ｓ-ＧＷに対して「ＰＭＩＰ_ＢＲＩ」を送信するように構成されている。
【００６３】
（本発明の第１の実施形態に係る移動通信システムの動作）
以下、図４及び図５を参照して、本実施形態に係る移動通信システムの動作について説明する。
【００６４】
第１に、図４を参照して、本実施形態に係る移動通信システムにおいて、第２ベアラを設定する動作について説明する。
【００６５】
図４に示すように、ステップＳ１００１Ａにおいて、無線基地局ｅＮＢが、交換局ＭＭＥを介して、第１ゲートウェイ装置Ｓ-ＧＷに対して、「ＬＴＥ  Ａｔｔａｃｈ」信号、「ＴＡＵ（Ｓ-ＧＷ変更）」信号又は「Ｉｎｔｅｒ  ＲＡＴ  ＨＯ（Ｓ-ＧＷ変更）」信号を送信する。
【００６６】
ここで、「ＬＴＥ  Ａｔｔａｃｈ」信号は、移動局ＵＥによってＬＴＥ方式の無線アクセスネットワークに対してアタッチ処理を行う際に送信される信号である。
【００６７】
また、「ＴＡＵ（Ｓ-ＧＷ変更）」信号は、ＬＴＥ方式の無線アクセスネットワークにおける位置登録エリアであるＴＡ（トラッキングエリア：Ｔｒａｃｋｉｎｇ  Ａｒｅａ）の変更を通知するための位置登録信号であり、特に、第１ゲートウェイ装置Ｓ-ＧＷが切り替わる際に送信される位置登録信号である。
【００６８】
さらに、「Ｉｎｔｅｒ  ＲＡＴ  ＨＯ（Ｓ-ＧＷ変更）」信号は、異ＲＡＴ（無線アクセス技術：Ｒａｄｉｏ  Ａｃｃｅｓｓ  Ｔｅｃｈｎｏｌｏｇｙ）間ハンドオーバ（Ｗ-ＣＤＭＡ方式の無線アクセスネットワーク→ＬＴＥ方式の無線アクセスネットワーク）時に送信される信号であり、特に、第１ゲートウェイ装置Ｓ-ＧＷが切り替わる際に送信される信号である。
【００６９】
或いは、ステップＳ１００１Ｂにおいて、交換局ＳＧＳＮが、第１ゲートウェイ装置Ｓ-ＧＷに対して、「Ｃｒｅａｔｅ  Ｓｅｓｓｉｏｎ  Ｒｅｑｕｅｓｔ」信号、「ＲＡＵ（Ｓ-ＧＷ変更）」信号又は「Ｉｎｔｅｒ  ＲＡＴ  ＨＯ（Ｓ-ＧＷ変更）」信号を送信する。
【００７０】
ここで、「Ｃｒｅａｔｅ  Ｓｅｓｓｉｏｎ  Ｒｅｑｕｅｓｔ」信号は、Ｗ-ＣＤＭＡ方式の無線アクセスネットワークに対してアタッチ処理を行った後に、ＬＴＥ方式の無線アクセスネットワークにおいてベアラを設定する際に、移動局ＵＥによって送信される信号である。
【００７１】
また、「ＲＡＵ（Ｓ-ＧＷ変更）」信号は、Ｗ-ＣＤＭＡ方式の無線アクセスネットワークにおける位置登録エリアであるＲＡ（ルーティングエリア：Ｒｏｕｔｉｎｇ  Ａｒｅａ）の変更を通知するための位置登録信号であり、特に、第１ゲートウェイ装置Ｓ-ＧＷが切り替わる際に送信される位置登録信号である。
【００７２】
さらに、「Ｉｎｔｅｒ  ＲＡＴ  ＨＯ（Ｓ-ＧＷ変更）」信号は、異ＲＡＴ間ハンドオーバ（ＬＴＥ方式の無線アクセスネットワーク→Ｗ-ＣＤＭＡ方式の無線アクセスネットワーク）時に送信される信号であり、特に、第１ゲートウェイ装置Ｓ-ＧＷが切り替わる際に送信される信号である。
【００７３】
その後、第１ゲートウェイ装置Ｓ-ＧＷが、ステップＳ１００２Ａにおいて、第２ゲートウェイ装置Ｐ-ＧＷに対して、「ＡＰＮ」及び「ＲＡＴタイプ」を含む「ＰＭＩＰ_ＰＢＵ」を送信し、ステップＳ１００２Ｂにおいて、所定サーバ装置ＰＣＲＦに対して、「ＡＰＮ」及び「ＲＡＴタイプ」を含む「Ｄｉａｍｅｔｅｒ_ＣＣ  Ｒｅｑｕｅｓｔ」を送信する。
【００７４】
ここで、第１ゲートウェイ装置Ｓ-ＧＷは、「ＬＴＥ  Ａｔｔａｃｈ」信号、「ＴＡＵ（Ｓ-ＧＷ変更）」信号又は「Ｉｎｔｅｒ  ＲＡＴ  ＨＯ（Ｓ-ＧＷ変更）」信号を受信した場合には、「ＲＡＴタイプ」として「ＬＴＥ方式の無線アクセスネットワーク」を設定した「ＰＭＩＰ_ＰＢＵ」を送信する。
【００７５】
一方、第１ゲートウェイ装置Ｓ-ＧＷは、「Ｃｒｅａｔｅ  Ｓｅｓｓｉｏｎ  Ｒｅｑｕｅｓｔ」信号、「ＲＡＵ（Ｓ-ＧＷ変更）」信号又は「Ｉｎｔｅｒ  ＲＡＴ  ＨＯ（Ｓ-ＧＷ変更）」信号を受信した場合には、「ＲＡＴタイプ」として「Ｗ-ＣＤＭＡ方式の無線アクセスネットワーク」を設定した「ＰＭＩＰ_ＰＢＵ」を送信する。
【００７６】
ステップＳ１００３において、第２ゲートウェイ装置Ｐ-ＧＷが、所定サーバ装置ＰＣＲＦに対して、「ＡＰＮ」及び「ＲＡＴタイプ」を含む「Ｄｉａｍｅｔｅｒ_ＣＣ  Ｒｅｑｕｅｓｔ」を送信する。
【００７７】
ステップＳ１００４において、所定サーバ装置ＰＣＲＦが、第２ゲートウェイ装置Ｐ-ＧＷに対して、「Ｄｉａｍｅｔｅｒ_ＣＣ  Ａｎｓｗｅｒ」を送信する。
【００７８】
ここで、所定サーバ装置ＰＣＲＦは、受信した「Ｄｉａｍｅｔｅｒ_ＣＣ  Ｒｅｑｕｅｓｔ」に「ＲＡＴタイプ」として「ＬＴＥ方式の無線アクセスネットワーク」が設定されている場合、「常時接続対象呼フラグ」又は「タイマ値（＝「０」又は「∞」）」を含む「Ｄｉａｍｅｔｅｒ_ＣＣ  Ａｎｓｗｅｒ」を送信する。
【００７９】
或いは、所定サーバ装置ＰＣＲＦは、受信した「Ｄｉａｍｅｔｅｒ_ＣＣ  Ｒｅｑｕｅｓｔ」に「ＲＡＴタイプ」として「ＬＴＥ方式の無線アクセスネットワーク」が設定されている場合で、かつ、ＬＴＥ方式の無線アクセスネットワーク内に移動局ＵＥに対して他のコアネットワークベアラが設定されていない場合に、「常時接続対象呼フラグ」又は「タイマ値（＝「０」又は「∞」）」を含む「Ｄｉａｍｅｔｅｒ_ＣＣ  Ａｎｓｗｅｒ」を送信する。
【００８０】
一方、所定サーバ装置ＰＣＲＦは、受信した「Ｄｉａｍｅｔｅｒ_ＣＣ  Ｒｅｑｕｅｓｔ」に「ＲＡＴタイプ」として「Ｗ-ＣＤＭＡ方式の無線アクセスネットワーク」が設定されている場合、「Ｐｒｅｓｅｒｖａｔｉｏｎ設定情報」を含む「Ｄｉａｍｅｔｅｒ_ＣＣ  Ａｎｓｗｅｒ」を送信する。
【００８１】
第２ゲートウェイ装置Ｐ-ＧＷは、「Ｄｉａｍｅｔｅｒ_ＣＣ  Ａｎｓｗｅｒ」に応じて、第１ゲートウェイ装置Ｓ-ＧＷとの間で、移動局ＵＥ用のコアネットワークベアラを設定する。
【００８２】
その後、第２ゲートウェイ装置Ｐ-ＧＷは、「Ｄｉａｍｅｔｅｒ_ＣＣ  Ａｎｓｗｅｒ」に「Ｐｒｅｓｅｒｖａｔｉｏｎ設定情報」が含まれている場合には、コアネットワークベアラを介して行われる移動局ＵＥの通信状況の監視を開始する。
【００８３】
一方、第２ゲートウェイ装置Ｐ-ＧＷは、「Ｄｉａｍｅｔｅｒ_ＣＣ  Ａｎｓｗｅｒ」に「常時接続対象呼フラグ」又は「タイマ値（＝「０」又は「∞」）」が含まれている場合には、コアネットワークベアラを介して行われる移動局ＵＥの通信状況の監視を行わない。
【００８４】
第２ゲートウェイ装置Ｐ-ＧＷは、所定期間、移動局ＵＥによってコアネットワークベアラを介して通信が行われていないことを検知した場合に、ステップＳ１００５において、第１ゲートウェイ装置Ｓ-ＧＷに対して、「ＰＭＩＰ_ＢＲＩ」を送信することによって、かかるコアネットワークベアラを切断する。
【００８５】
なお、所定サーバ装置ＰＣＲＦの代わりに、第２ゲートウェイ装置Ｐ-ＧＷが、コアネットワークベアラを切断するべきか否かについて判定するように構成されていてもよい。
【００８６】
第２に、図５を参照して、本実施形態に係る移動通信システムにおいて、第２ベアラの構成を変更する動作について説明する。
【００８７】
図５に示すように、ステップＳ２００１Ａにおいて、無線基地局ｅＮＢが、交換局ＭＭＥを介して、第１ゲートウェイ装置Ｓ-ＧＷに対して、「ＴＡＵ（Ｓ-ＧＷ変更なし）」信号又は「Ｉｎｔｅｒ  ＲＡＴ  ＨＯ（Ｓ-ＧＷ変更なし）」信号を送信する。
【００８８】
ここで、「ＴＡＵ（Ｓ-ＧＷ変更なし）」信号は、ＴＡの変更を通知するための位置登録信号であり、特に、第１ゲートウェイ装置Ｓ-ＧＷが切り替わらないときに送信される位置登録信号である。
【００８９】
さらに、「Ｉｎｔｅｒ  ＲＡＴ  ＨＯ（Ｓ-ＧＷ変更なし）」信号は、異ＲＡＴ間ハンドオーバ（Ｗ-ＣＤＭＡ方式の無線アクセスネットワーク→ＬＴＥ方式の無線アクセスネットワーク）時に送信される信号であり、特に、第１ゲートウェイ装置Ｓ-ＧＷが切り替わらないときに送信される信号である。
【００９０】
或いは、ステップＳ２００１Ｂにおいて、交換局ＳＧＳＮが、第１ゲートウェイ装置Ｓ-ＧＷに対して、「ＲＡＵ（Ｓ-ＧＷ変更なし）」信号又は「Ｉｎｔｅｒ  ＲＡＴ  ＨＯ（Ｓ-ＧＷ変更なし）」信号を送信する。
【００９１】
ここで、「ＲＡＵ（Ｓ-ＧＷ変更なし）」信号は、ＲＡの変更を通知するための位置登録信号であり、特に、第１ゲートウェイ装置Ｓ-ＧＷが切り替わらないときに送信される位置登録信号である。
【００９２】
さらに、「Ｉｎｔｅｒ  ＲＡＴ  ＨＯ（Ｓ-ＧＷ変更）」信号は、異ＲＡＴ間ハンドオーバ（ＬＴＥ方式の無線アクセスネットワーク→Ｗ-ＣＤＭＡ方式の無線アクセスネットワーク）時に送信される信号であり、特に、第１ゲートウェイ装置Ｓ-ＧＷが切り替わらないときに送信される信号である。
【００９３】
その後、第１ゲートウェイ装置Ｓ-ＧＷが、ステップＳ２００２において、所定サーバ装置ＰＣＲＦに対して、「ＡＰＮ」及び「ＲＡＴタイプ」を含む「Ｄｉａｍｅｔｅｒ_ＣＣ  Ｒｅｑｕｅｓｔ」を送信する。
【００９４】
ここで、第１ゲートウェイ装置Ｓ-ＧＷは、「ＴＡＵ（Ｓ-ＧＷ変更なし）」信号又は「Ｉｎｔｅｒ  ＲＡＴ  ＨＯ（Ｓ-ＧＷ変更なし）」信号を受信した場合には、「ＲＡＴタイプ」として「ＬＴＥ方式の無線アクセスネットワーク」を設定した「Ｄｉａｍｅｔｅｒ_ＣＣ  Ｒｅｑｕｅｓｔ」を送信する。
【００９５】
一方、第１ゲートウェイ装置Ｓ-ＧＷは、「ＲＡＵ（Ｓ-ＧＷ変更なし）」信号又は「Ｉｎｔｅｒ  ＲＡＴ  ＨＯ（Ｓ-ＧＷ変更なし）」信号を受信した場合には、「ＲＡＴタイプ」として「Ｗ-ＣＤＭＡ方式の無線アクセスネットワーク」を設定した「Ｄｉａｍｅｔｅｒ_ＣＣ  Ｒｅｑｕｅｓｔ」を送信する。
【００９６】
ステップＳ２００３において、所定サーバ装置ＰＣＲＦが、第２ゲートウェイ装置Ｐ-ＧＷに対して、「Ｄｉａｍｅｔｅｒ_Ｒｅ-Ａｕｔｈ  Ｒｅｑｕｅｓｔ」を送信する。
【００９７】
ここで、所定サーバ装置ＰＣＲＦは、受信した「Ｄｉａｍｅｔｅｒ_ＣＣ  Ｒｅｑｕｅｓｔ」に「ＲＡＴタイプ」として「ＬＴＥ方式の無線アクセスネットワーク」が設定されている場合、「常時接続対象呼フラグ」或いは「タイマ値（＝「０」又は「∞」）」を含む「Ｄｉａｍｅｔｅｒ_Ｒｅ-Ａｕｔｈ  Ｒｅｑｕｅｓｔ」を送信する。
【００９８】
或いは、所定サーバ装置ＰＣＲＦは、受信した「Ｄｉａｍｅｔｅｒ_ＣＣ  Ｒｅｑｕｅｓｔ」に「ＲＡＴタイプ」として「ＬＴＥ方式の無線アクセスネットワーク」が設定されている場合で、かつ、ＬＴＥ方式の無線アクセスネットワーク内に移動局ＵＥに対して他のコアネットワークベアラが設定されていない場合に、「常時接続対象呼フラグ」又は「タイマ値（＝「０」又は「∞」）」を含む「Ｄｉａｍｅｔｅｒ_Ｒｅ-Ａｕｔｈ  Ｒｅｑｕｅｓｔ」を送信する。
【００９９】
一方、所定サーバ装置ＰＣＲＦは、受信した「Ｄｉａｍｅｔｅｒ_ＣＣ  Ｒｅｑｕｅｓｔ」に「ＲＡＴタイプ」として「Ｗ-ＣＤＭＡ方式の無線アクセスネットワーク」が設定されている場合、「Ｐｒｅｓｅｒｖａｔｉｏｎ設定情報」を含む「Ｄｉａｍｅｔｅｒ_Ｒｅ-Ａｕｔｈ  Ｒｅｑｕｅｓｔ」を送信する。
【０１００】
第２ゲートウェイ装置Ｐ-ＧＷは、「Ｄｉａｍｅｔｅｒ_Ｒｅ-Ａｕｔｈ  Ｒｅｑｕｅｓｔ」に応じて、第１ゲートウェイ装置Ｓ-ＧＷとの間で設定されている移動局ＵＥ用のコアネットワークベアラの構成（パラメータ）を変更する。
【０１０１】
その後、第２ゲートウェイ装置Ｐ-ＧＷは、「Ｄｉａｍｅｔｅｒ_Ｒｅ-Ａｕｔｈ  Ｒｅｑｕｅｓｔ」に「Ｐｒｅｓｅｒｖａｔｉｏｎ設定情報」が含まれている場合には、コアネットワークベアラを介して行われる移動局ＵＥの通信状況の監視を開始する。
【０１０２】
一方、第２ゲートウェイ装置Ｐ-ＧＷは、「Ｄｉａｍｅｔｅｒ_Ｒｅ-Ａｕｔｈ  Ｒｅｑｕｅｓｔ」に「常時接続対象呼フラグ」又は「タイマ値（＝「０」又は「∞」）」が含まれている場合には、コアネットワークベアラを介して行われる移動局ＵＥの通信状況の監視を行わない。
【０１０３】
第２ゲートウェイ装置Ｐ-ＧＷは、所定期間、移動局ＵＥによってコアネットワークベアラを介して通信が行われていないことを検知した場合に、ステップＳ２００４において、第１ゲートウェイ装置Ｓ-ＧＷに対して、「ＰＭＩＰ_ＢＲＩ」を送信することによって、かかるコアネットワークベアラを切断する。
【０１０４】
（本発明の第１の実施形態に係る移動通信システムの作用・効果）
本発明の第１の実施形態に係る移動通信システムによれば、移動局ＵＥに対して、ＬＴＥ方式の無線アクセスネットワーク内に１つのコアネットワークベアラしか設定されていると判定された場合には、所定期間、かかるコアネットワークベアラを介して移動局ＵＥの通信が行われていない場合であっても、かかるコアネットワークベアラを切断しないように構成されているため、ＬＴＥ方式の無線アクセスネットワークにおいて、移動局ＵＥの状態をアタッチ状態に維持することができる。
【０１０５】
一方、本発明の第１の実施形態に係る移動通信システムによれば、移動局ＵＥに対して、Ｗ-ＣＤＭＡ方式の無線アクセスネットワーク内に無線アクセスネットワークベアラが設定されていると判定された場合、或いは、移動局ＵＥに対して、ＬＴＥ方式の無線アクセスネットワーク内に複数のコアネットワークベアラが設定されていると判定された場合には、所定期間、かかるコアネットワークベアラを介して移動局ＵＥの通信が行われていない場合であっても、かかるコアネットワークベアラを切断するように構成されているため、コアネットワークのリソースを有効活用することができる。
【０１０６】
（変更例１）
図６乃至図８を参照して、本発明の変更例１に係る移動通信システムについて説明する。以下、上述の第１の実施形態に係る移動通信システムとの相違点に着目して、本発明の変更例１に係る移動通信システムについて説明する。
【０１０７】
なお、本変更例１に係る移動通信システムでは、コアネットワークにおけるプロトコルとして「ＧＴＰ（ＧＰＲＳ  Ｔｕｎｎｅｌｉｎｇ  Ｐｒｏｔｏｃｏｌ）」が用いられるように構成されている。
【０１０８】
図６に示すように、第２ゲートウェイ装置Ｐ-ＧＷは、上述の第１の実施形態に係る第２ゲートウェイ装置Ｐ-ＧＷの構成に加えて、判定部２５を具備している。
【０１０９】
なお、本変更例１に係る移動通信システムでは、所定サーバ装置ＰＣＲＦが設けられていなくてもよいため、所定サーバ装置ＰＣＲＦが設けられていない場合には、第２ゲートウェイ装置Ｐ-ＧＷは、ＰＣＲＦインターフェイス２１を具備していなくてもよい。
【０１１０】
判定部２５は、第１ゲートウェイ装置Ｓ-ＧＷから受信した「ＧＴＰ_ＣＳＲ（Ｃｒｅａｔｅ  Ｓｅｓｓｉｏｎ  Ｒｅｑｕｅｓｔ）」又は「ＧＴＰ_ＭＢＲ（Ｍｏｄｉｆｙ  Ｂｅａｒｅｒ  Ｒｅｑｕｅｓｔ）」に含まれる「ＲＡＴタイプ」に応じて、移動局ＵＥが在圏している無線アクセスネットワークの種別を判定するように構成されている。
【０１１１】
ここで、「ＧＴＰ_ＣＳＲ」は、コアネットワークベアラを設定するように要求するベアラ設定要求であり、「ＧＴＰ_ＭＢＲ」は、コアネットワークベアラの構成を変更するように要求するベアラ変更要求である。
【０１１２】
「ＧＴＰ_ＣＳＲ」及び「ＧＴＰ_ＭＢＲ」は、上述の「ＲＡＴタイプ」に加えて、かかるコアネットワークベアラの接続先アクセスポイントを特定する「ＡＰＮ」を含む。
【０１１３】
監視部２３は、Ｓ-ＧＷインターフェイス２４によって、「ＲＡＴタイプ」として「Ｗ-ＣＤＭＡ方式の無線アクセスネットワーク」が設定されている「ＧＴＰ_ＣＳＲ」又は「ＧＴＰ_ＭＢＲ」が受信された場合、かかる移動局ＵＥの通信状況について監視するように構成されていてもよい。
【０１１４】
また、監視部２３は、Ｓ-ＧＷインターフェイス２４によって、「ＲＡＴタイプ」として「ＬＴＥ方式の無線アクセスネットワーク」が設定されている「ＧＴＰ_ＣＳＲ」又は「ＧＴＰ_ＭＢＲ」が受信された場合で、かつ、ＬＴＥ方式の無線アクセスネットワーク内に移動局ＵＥ用の複数のコアネットワークベアラが設定されている場合に、かかる移動局ＵＥの通信状況について監視するように構成されていてもよい。
【０１１５】
一方、監視部２３は、Ｓ-ＧＷインターフェイス２４によって、「ＲＡＴタイプ」として「ＬＴＥ方式の無線アクセスネットワーク」が設定されている「ＧＴＰ_ＣＳＲ」又は「ＧＴＰ_ＭＢＲ」が受信された場合で、かつ、ＬＴＥ方式の無線アクセスネットワーク内に移動局ＵＥ用のコアネットワークベアラが１つだけ設定されている場合に、かかる移動局ＵＥの通信状況について監視しないように構成されていてもよい。
【０１１６】
Ｓ-ＧＷインターフェイス２４は、第１ゲートウェイ装置Ｓ-ＧＷによって送信された「ＧＴＰ_ＣＳＲ」又は「ＧＴＰ_ＭＢＲ」を受信したり、第１ゲートウェイ装置Ｓ-ＧＷに対して「ＧＴＰ_ＤＢＲ（Ｄｅｌｅｔｅ  Ｂｅａｒｅｒ  Ｒｅｑｕｅｓｔ）」を送信したりするように構成されている。
【０１１７】
ここで、「ＧＴＰ_ＤＢＲ」は、コアネットワークベアラを切断するように要求するベアラ切断要求である。
【０１１８】
具体的には、Ｓ-ＧＷインターフェイス２４は、上述の監視部２３からの通知に応じて、第１ゲートウェイ装置Ｓ-ＧＷに対して「ＧＴＰ_ＤＢＲ」を送信するように構成されている。
【０１１９】
以下、図７及び図８を参照して、本変更例２に係る移動通信システムの動作について説明する。
【０１２０】
第１に、図７を参照して、本実施形態に係る移動通信システムにおいて、コアネットワークベアラを設定する動作について説明する。
【０１２１】
図７に示すように、ステップＳ３００１Ａにおいて、無線基地局ｅＮＢが、交換局ＭＭＥを介して、第１ゲートウェイ装置Ｓ-ＧＷに対して、「ＬＴＥ  Ａｔｔａｃｈ」信号、「ＴＡＵ（Ｓ-ＧＷ変更）」信号又は「Ｉｎｔｅｒ  ＲＡＴ  ＨＯ（Ｓ-ＧＷ変更）」信号を送信する。
【０１２２】
或いは、ステップＳ３００１Ｂにおいて、交換局ＳＧＳＮを介して、第１ゲートウェイ装置Ｓ-ＧＷに対して、「Ｃｒｅａｔｅ  Ｓｅｓｓｉｏｎ  Ｒｅｑｕｅｓｔ」信号、「ＲＡＵ（Ｓ-ＧＷ変更）」信号又は「Ｉｎｔｅｒ  ＲＡＴ  ＨＯ（Ｓ-ＧＷ変更）」信号を送信する。
【０１２３】
その後、第１ゲートウェイ装置Ｓ-ＧＷが、ステップＳ３００２において、第２ゲートウェイ装置Ｐ-ＧＷに対して、「ＡＰＮ」及び「ＲＡＴタイプ」を含む「ＧＴＰ_ＣＳＲ」を送信する。
【０１２４】
ここで、第１ゲートウェイ装置Ｓ-ＧＷは、「ＬＴＥ  Ａｔｔａｃｈ」信号、「ＴＡＵ（Ｓ-ＧＷ変更）」信号又は「Ｉｎｔｅｒ  ＲＡＴ  ＨＯ（Ｓ-ＧＷ変更）」信号を受信した場合には、「ＲＡＴタイプ」として「ＬＴＥ方式の無線アクセスネットワーク」を設定した「ＧＴＰ_ＣＳＲ」を送信する。
【０１２５】
一方、第１ゲートウェイ装置Ｓ-ＧＷは、「Ｃｒｅａｔｅ  Ｓｅｓｓｉｏｎ  Ｒｅｑｕｅｓｔ」信号、「ＲＡＵ（Ｓ-ＧＷ変更）」信号又は「Ｉｎｔｅｒ  ＲＡＴ  ＨＯ（Ｓ-ＧＷ変更）」信号を受信した場合には、「ＲＡＴタイプ」として「Ｗ-ＣＤＭＡ方式の無線アクセスネットワーク」を設定した「ＧＴＰ_ＣＳＲ」を送信する。
【０１２６】
ここで、第２ゲートウェイ装置Ｐ-ＧＷは、「ＧＴＰ_ＣＳＲ」に応じて、第１ゲートウェイ装置Ｓ-ＧＷとの間で、移動局ＵＥ用のコアネットワークベアラを設定する。
【０１２７】
その後、第２ゲートウェイ装置Ｐ-ＧＷは、受信した「ＧＴＰ_ＣＳＲ」に「ＲＡＴタイプ」として「Ｗ-ＣＤＭＡ方式の無線アクセスネットワーク」が設定されている場合には、コアネットワークベアラを介して行われる移動局ＵＥの通信状況の監視を開始する。
【０１２８】
或いは、第２ゲートウェイ装置Ｐ-ＧＷは、受信した「ＧＴＰ_ＣＳＲ」に「ＲＡＴタイプ」として「ＬＴＥ方式の無線アクセスネットワーク」が設定されている場合で、かつ、ＬＴＥ方式の無線アクセスネットワーク内に移動局ＵＥに対して他のコアネットワークベアラが設定されていない場合には、コアネットワークベアラを介して行われる移動局ＵＥの通信状況の監視を開始する。
【０１２９】
一方、第２ゲートウェイ装置Ｐ-ＧＷは、受信した「ＧＴＰ_ＣＳＲ」に「ＲＡＴタイプ」として「ＬＴＥ方式の無線アクセスネットワーク」が設定されている場合で、かつ、ＬＴＥ方式の無線アクセスネットワーク内に移動局ＵＥに対して複数のコアネットワークベアラが設定されている場合には、コアネットワークベアラを介して行われる移動局ＵＥの通信状況を監視しない。
【０１３０】
第２ゲートウェイ装置Ｐ-ＧＷは、所定期間、移動局ＵＥによってコアネットワークベアラを介して通信が行われていないことを検知した場合に、ステップＳ３００３において、第１ゲートウェイ装置Ｓ-ＧＷに対して、「ＧＴＰ_ＤＢＲ」を送信することによって、かかるコアネットワークベアラを切断する。
【０１３１】
第２に、図８を参照して、本実施形態に係る移動通信システムにおいて、第２ベアラの構成を変更する動作について説明する。
【０１３２】
図８に示すように、ステップＳ４００１Ａにおいて、無線基地局ｅＮＢが、交換局ＭＭＥを介して、第１ゲートウェイ装置Ｓ-ＧＷに対して、「ＴＡＵ（Ｓ-ＧＷ変更なし）」信号又は「Ｉｎｔｅｒ  ＲＡＴ  ＨＯ（Ｓ-ＧＷ変更なし）」信号を送信する。
【０１３３】
或いは、ステップＳ４００１Ｂにおいて、交換局ＳＧＳＮが、第１ゲートウェイ装置Ｓ-ＧＷに対して、「ＲＡＵ（Ｓ-ＧＷ変更なし）」信号又は「Ｉｎｔｅｒ  ＲＡＴ  ＨＯ（Ｓ-ＧＷ変更なし）」信号を送信する。
【０１３４】
その後、第１ゲートウェイ装置Ｓ-ＧＷが、ステップＳ４００２において、第２ゲートウェイ装置Ｐ-ＧＷに対して、「ＡＰＮ」及び「ＲＡＴタイプ」を含む「ＧＴＰ_ＭＢＲ」を送信する。
【０１３５】
ここで、第１ゲートウェイ装置Ｓ-ＧＷは、「ＴＡＵ（Ｓ-ＧＷ変更なし）」信号又は「Ｉｎｔｅｒ  ＲＡＴ  ＨＯ（Ｓ-ＧＷ変更なし）」信号を受信した場合には、「ＲＡＴタイプ」として「ＬＴＥ方式の無線アクセスネットワーク」を設定した「ＧＴＰ_ＭＢＲ」を送信する。
【０１３６】
一方、第１ゲートウェイ装置Ｓ-ＧＷは、「ＲＡＵ（Ｓ-ＧＷ変更なし）」信号又は「Ｉｎｔｅｒ  ＲＡＴ  ＨＯ（Ｓ-ＧＷ変更なし）」信号を受信した場合には、「ＲＡＴタイプ」として「Ｗ-ＣＤＭＡ方式の無線アクセスネットワーク」を設定した「ＧＴＰ_ＭＢＲ」を送信する。
【０１３７】
ここで、第２ゲートウェイ装置Ｐ-ＧＷは、「ＧＴＰ_ＭＢＲ」に応じて、第１ゲートウェイ装置Ｓ-ＧＷとの間で設定されている移動局ＵＥ用のコアネットワークベアラの構成（パラメータ）を設定する。
【０１３８】
その後、第２ゲートウェイ装置Ｐ-ＧＷは、受信した「ＧＴＰ_ＭＢＲ」に「ＲＡＴタイプ」として「Ｗ-ＣＤＭＡ方式の無線アクセスネットワーク」が設定されている場合には、コアネットワークベアラを介して行われる移動局ＵＥの通信状況の監視を開始する。
【０１３９】
或いは、第２ゲートウェイ装置Ｐ-ＧＷは、受信した「ＧＴＰ_ＭＢＲ」に「ＲＡＴタイプ」として「ＬＴＥ方式の無線アクセスネットワーク」が設定されている場合で、かつ、ＬＴＥ方式の無線アクセスネットワーク内に移動局ＵＥに対して他のコアネットワークベアラが設定されていない場合には、コアネットワークベアラを介して行われる移動局ＵＥの通信状況の監視を開始する。
【０１４０】
一方、第２ゲートウェイ装置Ｐ-ＧＷは、受信した「ＧＴＰ_ＭＢＲ」に「ＲＡＴタイプ」として「ＬＴＥ方式の無線アクセスネットワーク」が設定されている場合で、かつ、ＬＴＥ方式の無線アクセスネットワーク内に移動局ＵＥに対して複数のコアネットワークベアラが設定されている場合には、コアネットワークベアラを介して行われる移動局ＵＥの通信状況を監視しない。
【０１４１】
第２ゲートウェイ装置Ｐ-ＧＷは、所定期間、移動局ＵＥによってコアネットワークベアラを介して通信が行われていないことを検知した場合に、ステップＳ４００３において、第１ゲートウェイ装置Ｓ-ＧＷに対して、「ＧＴＰ_ＤＢＲ」を送信することによって、かかるコアネットワークベアラを切断する。
【０１４２】
（変更例３）
上述の移動通信システムにおいて、第１ゲートウェイ装置Ｓ-ＧＷが、交換局ＭＭＥから、ＬＴＥ方式の無線アクセスネットワーク内でコアネットワークベアラが設定されていない状態におけるベアラ設定要求であるか否かについて示す所定情報を含む「Ｃｒｅａｔｅ  Ｓｅｓｓｉｏｎ  Ｒｅｑｕｅｓｔ」を受信し、第２ゲートウェイ装置Ｐ-ＧＷに対して、かかる所定情報を含む「ＰＭＩＰ_ＰＢＵ」又は「ＧＴＰ_ＣＳＲ」を送信するように構成されていてもよい。
【０１４３】
かかる場合、第２ゲートウェイ装置Ｐ-ＧＷは、かかる所定情報に基づいて、「ＰＭＩＰ_ＰＢＵ」又は「ＧＴＰ_ＣＳＲ」によって設定されるコアネットワークベアラを「Ｐｒｅｓｅｒｖａｔｉｏｎ状態開放手順」の対象とすべきか否かについて判定してもよい。
【０１４４】
また、「ＰＭＩＰ_ＰＢＵ」は、各コアネットワークベアラに対応する「ＲＡＴタイプ」を変更するために、任意のタイミングで送信可能である。
【０１４５】
したがって、第２ゲートウェイ装置Ｐ-ＧＷは、かかる「ＰＭＩＰ_ＰＢＵ」に含まれる「ＲＡＴタイプ」に基づいて、該当するコアネットワークベアラを「Ｐｒｅｓｅｒｖａｔｉｏｎ状態開放手順」の対象とすべきか否かについて判定してもよい。
【０１４６】
以上に述べた本実施形態の特徴は、以下のように表現されていてもよい。
【０１４７】
本実施形態の第１の特徴は、移動局ＵＥが、無線アクセスネットワークベアラとコアネットワークベアラとを介して、所定ネットワークとの間で通信を行う移動通信方法であって、移動局ＵＥが、Ｗ-ＣＤＭＡ方式の無線アクセスネットワーク（第１無線アクセスネットワーク）に在圏していると判定された場合で、かつ、所定期間、コアネットワークベアラを介して通信が行われていないと判定された場合に、コアネットワークベアラを切断する工程Ａと、移動局ＵＥが、ＬＴＥ方式の無線アクセスネットワーク（第２無線アクセスネットワーク）に在圏していると判定された場合で、かつ、所定期間、コアネットワークベアラを介して通信が行われていないと判定された場合には、コアネットワークベアラを切断しない工程Ｂとを有することを要旨とする。
【０１４８】
本実施形態の第２の特徴は、移動局ＵＥが、無線アクセスネットワークベアラとコアネットワークベアラとを介して、所定ネットワークとの間で通信を行う移動通信方法であって、移動局ＵＥが、Ｗ-ＣＤＭＡ方式の無線アクセスネットワークに在圏していると判定された場合で、かつ、所定期間、コアネットワークベアラを介して通信が行われていないと判定された場合に、或いは、移動局ＵＥに対して、複数のコアネットワークベアラが、ＬＴＥ方式の無線アクセスネットワーク内に設定されていると判定された場合で、かつ、所定期間、コアネットワークベアラを介して通信が行われていないと判定された場合に、コアネットワークベアラを切断する工程Ａと、移動局ＵＥに対して、１つのコアネットワークベアラのみが、ＬＴＥ方式の無線アクセスネットワーク内に設定されていると判定された場合には、所定期間、コアネットワークベアラを介して通信が行われていないと判定された場合であっても、コアネットワークベアラを切断しない工程Ｂとを有することを要旨とする。
【０１４９】
本実施形態の第１の特徴又は第２の特徴において、コアネットワークベアラは、第１ゲートウェイ装置Ｓ-ＧＷと第２ゲートウェイ装置Ｐ-ＧＷとの間で設定されており、工程Ａにおいて、所定期間、コアネットワークベアラを介して通信が行われていないと判定された場合、第２ゲートウェイ装置Ｐ-ＧＷが、第１ゲートウェイ装置Ｓ-ＧＷに対して、「ＰＭＩＰ_ＢＲＩ（ベアラ切断要求）」又は「ＧＴＰ_ＤＢＲ（ベアラ切断要求）」を送信してもよい。
【０１５０】
本実施形態の第１の特徴又は第２の特徴において、第２ゲートウェイ装置Ｐ-ＧＷが、第１ゲートウェイ装置Ｓ-ＧＷから受信した「ＰＭＩＰ_ＰＢＵ（ベアラ設定要求）」、「ＧＴＰ_ＣＳＲ（ベアラ設定要求）」又は「ＧＴＰ_ＭＢＲ（ベアラ変更要求）」に応じて、移動局ＵＥが在圏している無線アクセスネットワークの種別（ＲＡＴタイプ）を判定する工程を更に有してもよい。
【０１５１】
本実施形態の第１の特徴及び第２の特徴において、第２ゲートウェイ装置Ｐ-ＧＷが、所定サーバ装置ＰＣＲＦから受信した所定情報（例えば、常時接続対象呼フラグや、タイマ値「０」又は「∞」等）に応じて、移動局ＵＥが在圏している無線アクセスネットワークの種別を判定する工程を更に有してもよい。
【０１５２】
本実施形態の第３の特徴は、移動局ＵＥが、無線アクセスネットワークベアラとコアネットワークベアラとを介して、所定ネットワークとの間で通信を行うように構成されている移動通信システムに含まれる第２ゲートウェイ装置Ｐ-ＧＷとして機能するゲートウェイ装置であって、移動局ＵＥが、Ｗ-ＣＤＭＡ方式の無線アクセスネットワークに在圏していると判定された場合で、かつ、所定期間、コアネットワークベアラを介して通信が行われていないと判定された場合に、第１ゲートウェイ装置Ｓ-ＧＷに対して、コアネットワークベアラを切断するための「ＰＭＩＰ_ＢＲＩ（ベアラ切断要求）」又は「ＧＴＰ_ＤＢＲ（ベアラ切断要求）」を送信するように構成されているＳ-ＧＷインターフェイス２４を具備し、移動局ＵＥが、ＬＴＥ方式の無線アクセスネットワークに在圏していると判定された場合で、かつ、所定期間、コアネットワークベアラを介して通信が行われていないと判定された場合には、Ｓ-ＧＷインターフェイス２４は、第１ゲートウェイ装置Ｓ-ＧＷに対して、「ＰＭＩＰ_ＢＲＩ（ベアラ切断要求）」又は「ＧＴＰ_ＤＢＲ（ベアラ切断要求）」を送信しないように構成されていることを要旨とする。
【０１５３】
本実施形態の第４の特徴は、移動局ＵＥが、無線アクセスネットワークベアラとコアネットワークベアラとを介して、所定ネットワークとの間で通信を行うように構成されている移動通信システムに含まれる第２ゲートウェイ装置Ｐ-ＧＷとして機能するゲートウェイ装置であって、移動局ＵＥが、Ｗ-ＣＤＭＡ方式の無線アクセスネットワークに在圏していると判定された場合で、かつ、所定期間、コアネットワークベアラを介して通信が行われていないと判定された場合に、或いは、移動局ＵＥに対して、複数のコアネットワークベアラが、ＬＴＥ方式の無線アクセスネットワーク内に設定されていると判定された場合で、かつ、所定期間、第１ゲートウェイ装置Ｓ-ＧＷと第２ゲートウェイ装置Ｐ-ＧＷとの間で設定されているコアネットワークベアラを介して通信が行われていないと判定された場合、第１ゲートウェイ装置Ｓ-ＧＷに対して、コアネットワークベアラを切断するための「ＰＭＩＰ_ＢＲＩ（ベアラ切断要求）」又は「ＧＴＰ_ＤＢＲ（ベアラ切断要求）」を送信するように構成されているＳ-ＧＷインターフェイス２４を具備し、移動局ＵＥに対して、１つのコアネットワークベアラのみが、ＬＴＥ方式の第２無線アクセスネットワーク内に設定されていると判定された場合で、かつ、所定期間、コアネットワークベアラを介して通信が行われていないと判定された場合には、Ｓ-ＧＷインターフェイス２４は、「ＰＭＩＰ_ＢＲＩ（ベアラ切断要求）」又は「ＧＴＰ_ＤＢＲ（ベアラ切断要求）」を送信しないように構成されていることを要旨とする。
【０１５４】
本実施形態の第３の特徴又は本実施形態の第４の特徴において、第１ゲートウェイ装置Ｓ-ＧＷから受信した「ＰＭＩＰ_ＰＢＵ（ベアラ設定要求）」、「ＧＴＰ_ＣＳＲ（ベアラ設定要求）」又は「ＧＴＰ_ＭＢＲ（ベアラ変更要求）」に応じて、移動局ＵＥが在圏している無線アクセスネットワークの種別を判定するように構成されている判定部２５を更に具備してもよい。
【０１５５】
本実施形態の第３の特徴又は本実施形態の第４の特徴において、所定サーバ装置ＰＣＲＦから受信した所定情報（例えば、常時接続対象呼フラグや、タイマ値「０」又は「∞」等）に応じて、移動局ＵＥが在圏している無線アクセスネットワークの種別を判定するように構成されている判定部２５を更に具備してもよい。
【０１５６】
本実施形態の第５の特徴は、移動局ＵＥが、無線アクセスネットワークベアラとコアネットワークベアラとを介して、所定ネットワークとの間で通信を行うように構成されている移動通信システムに含まれる所定サーバ装置ＰＣＲＦとして機能するサーバ装置であって、第１ゲートウェイ装置Ｓ-ＧＷから受信した「ＰＭＩＰ_ＰＢＵ（ベアラ設定要求）」又は「Ｄｉａｍｅｔｅｒ_ＣＣ  Ｒｅｑｕｅｓｔ（ベアラ変更要求）」に応じて、移動局ＵＥが在圏している無線アクセスネットワークの種別を判定するように構成されている判定部１２と、移動局ＵＥが、Ｗ-ＣＤＭＡ方式の無線アクセスネットワークに在圏していると判定された場合には、第２ゲートウェイ装置Ｐ-ＧＷに対して、所定期間、第１ゲートウェイ装置Ｓ-ＧＷと第２ゲートウェイ装置Ｐ-ＧＷとの間で設定されているコアネットークベアラを介して通信が行われていない場合に、コアネットークベアラを切断するように指示するＰ-ＧＷインターフェイス１３とを具備し、Ｐ-ＧＷインターフェイス１３は、移動局ＵＥが、ＬＴＥ方式の無線アクセスネットワークに在圏していると判定された場合には、第２ゲートウェイ装置Ｐ-ＧＷに対して、所定期間、コアネットークベアラを介して通信が行われていないと判定された場合に、コアネットークベアラを切断するように指示しないことを要旨とする。
【０１５７】
本実施形態の第６の特徴は、移動局ＵＥが、無線アクセスネットワークベアラとコアネットワークベアラとを介して、所定ネットワークとの間で通信を行うように構成されている移動通信システムに含まれる所定サーバ装置ＰＣＲＦとして機能するサーバ装置であって、第１ゲートウェイ装置Ｓ-ＧＷから受信した「ＰＭＩＰ_ＰＢＵ（ベアラ設定要求）」又は「Ｄｉａｍｅｔｅｒ_ＣＣ  Ｒｅｑｕｅｓｔ（ベアラ変更要求）」に応じて、移動局ＵＥが在圏している無線アクセスネットワークの種別を判定するように構成されている判定部１２と、移動局ＵＥが、Ｗ-ＣＤＭＡ方式の無線アクセスネットワークに在圏していると判定された場合、或いは、移動局ＵＥに対して、複数のコアネットークベアラが、ＬＴＥ方式の無線アクセスネットワーク内に設定されていると判定された場合には、第２ゲートウェイ装置Ｐ-ＧＷに対して、所定期間、第１ゲートウェイ装置Ｓ-ＧＷと第２ゲートウェイ装置Ｐ-ＧＷとの間で設定されているコアネットークベアラを介して通信が行われていない場合に、コアネットワークベアラを切断するように指示するＰ-ＧＷインターフェイス１３とを具備し、Ｐ-ＧＷインターフェイス１３は、移動局ＵＥに対して、１つのコアネットワークベアラのみが、ＬＴＥ方式の無線アクセスネットワーク内に設定されていると判定された場合には、第２ゲートウェイ装置Ｐ-ＧＷに対して、所定期間、コアネットワークベアラを介して通信が行われていない場合に、コアネットワークベアラを切断するように指示しないことを要旨とする。
【０１５８】
なお、上述の無線基地局ｅＮＢや交換局ＭＭＥ/ＳＧＳＮや第１ゲートウェイ装置Ｓ-ＧＷや第２ゲートウェイ装置Ｐ-ＧＷや所定サーバ装置ＰＣＲＦの動作は、ハードウェアによって実施されてもよいし、プロセッサによって実行されるソフトウェアモジュールによって実施されてもよいし、両者の組み合わせによって実施されてもよい。
【０１５９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１６０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや交換局ＭＭＥ/ＳＧＳＮや第１ゲートウェイ装置Ｓ-ＧＷや第２ゲートウェイ装置Ｐ-ＧＷや所定サーバ装置ＰＣＲＦ内に設けられていてもよい。また、かかる記憶媒体及びプロセッサは、ディスクリートコンポーネントとして無線基地局ｅＮＢや交換局ＭＭＥ/ＳＧＳＮや第１ゲートウェイ装置Ｓ-ＧＷや第２ゲートウェイ装置Ｐ-ＧＷや所定サーバ装置ＰＣＲＦ内に設けられていてもよい。
【０１６１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１６２】
ｅＮＢ…無線基地局
ＭＭＥ、ＳＧＳＮ…交換局
ＰＣＲＦ…所定サーバ装置
１１、２４…Ｓ-ＧＷインターフェイス
１２…判定部
１３…Ｐ-ＧＷインターフェイス
Ｓ-ＧＷ…第１ゲートウェイ装置
Ｐ-ＧＷ…第２ゲートウェイ装置
２１…ＰＣＲＦインターフェイス
２２…ベアラ管理部
２３…監視部
【図１】
2010183542.tif 000003
【図２】
2010183542.tif 000004
【図３】
2010183542.tif 000005
【図４】
2010183542.tif 000006
【図５】
2010183542.tif 000007
【図６】
2010183542.tif 000008
【図７】
2010183542.tif 000009
【図８】
2010183542.tif 000010